(57)【要約】 【課題】  回転部材に切り欠きを設けることなく、デザイン性をも向上することが可能なヒンジ装置、そのヒンジ装置を備えた自動原稿搬送装置、読取ユニット及び画像形成装置を提供する。【解決手段】  カバー１２を開く際、支持部側回動軸９３が固定部側案内溝９５によって上方に案内され、固定部側回動軸９４がカバー１２の回動に伴って傾斜する支持部側案内溝９６によって下方への移動が規制されつつ案内される。これにより、カバー１２の原稿搬送前方端１２ｆが伏臥姿勢時よりも下方に下がることがなく原稿排出トレイ７２の上面７２ａとの干渉が防止され、しかもその開閉動作においてカバー１２のガタツキも防止できる。【選択図】  図９
2006118613.tif 000002
【特許請求の範囲】
【請求項１】
回動部材を本体に対して伏臥した姿勢と起立した姿勢との間で変位可能となるように前記本体と前記回動部材の一端側とを回動可能に連結するヒンジ装置であって、
前記本体に固定される固定部と、
前記回動部材を支持する支持部と、
前記支持部に設けられ、前記回動部材が通過する変位軌跡面に直交する直交方向に沿って延びる支持部側回動軸と、
前記固定部に設けられ、前記直交方向に沿って延びる固定部側回動軸と、を備え、
前記固定部には、前記支持部側回動軸と係合し、前記回動部材が前記伏臥した姿勢から前記起立した姿勢に変位するに従って、当該支持部側回動軸を前記本体から離間する方向に案内する固定部側案内穴が形成され、
前記支持部には、前記支持部側回動軸と前記固定部側案内穴との係合位置に対して前記回動部材の一端側寄りの位置において前記固定部側回動軸と係合し、前記回動部材が前記伏臥した姿勢から前記起立した姿勢に変位するに従って、当該固定部側回動軸を前記支持部側回動軸に近づけるように案内する支持部側案内穴が形成されていることを特徴とするヒンジ装置。
【請求項２】
前記固定部側案内穴は、前記回動部材の回動方向に沿って曲がった弓なり状の案内溝であり、
前記支持部側案内穴は、前記回動部材が伏臥した姿勢にある状態で、前記支持部側回動軸の上方に位置し、かつ、当該回動部材と前記本体との対向方向に沿った直線状をなす案内溝であることを特徴とする請求項１に記載のヒンジ装置。
【請求項３】
前記固定部は互いに対をなす固定部対からなり、前記支持部は前記固定部対それぞれの対向面又はその裏面に隣接配置される支持部対からなり、
前記各支持部対の支持部側回動軸は、その支持部対に隣接配置される固定部対に向かって突出して当該固定部対の固定部側案内穴に係合し、
前記各固定部対の固定部側回動軸は、その固定部対に隣接配置される支持部対に向かって突出して当該支持部対の支持部側案内穴に係合する構成であることを特徴とする請求項１又は請求項２に記載のヒンジ装置。
【請求項４】
前記固定部側案内穴は、前記回動部材が伏臥した姿勢の状態で前記支持部側回動軸と係合する面が、その伏臥した回動部材に沿った方向と平行をなしていることを特徴する請求項１〜請求項３のいずれかに記載のヒンジ装置。
【請求項５】
前記固定部側回動軸は、前記回動部材が前記伏臥した姿勢にある状態で、前記支持部側案内穴のうち前記本体から離間した端部に当接することを特徴とする請求項４に記載のヒンジ装置。
【請求項６】
前記固定部側案内穴及び前記支持部側案内穴のうち少なくともいずれか一方には、前記回動部材が伏臥した姿勢にある状態で、当該案内穴と係合する前記支持部側回動軸または前記固定部側回動軸の移動を規制する第１規制部が設けられていることを特徴とする請求項１〜請求項５のいずれかに記載のヒンジ装置。
【請求項７】
前記固定部側案内穴及び前記支持部側案内穴のうち少なくともいずれか一方には、前記回動部材が起立した姿勢にある状態で、当該案内穴と係合する前記支持部側回動軸または前記固定部側回動軸の移動を規制する第２規制部が設けられていることを特徴とする請求項１〜請求項６のいずれかに記載のヒンジ装置。
【請求項８】
原稿が配置される原稿配置部と、当該原稿配置部に配置された原稿を搬送する原稿搬送部と、を有する自動原稿搬送装置において、
前記原稿搬送部は、前記原稿配置部の一端側に配され、それに配置された原稿に接触しつつ搬送する搬送ローラと、
前記搬送ローラを覆う形状をなすとともに、自動原稿搬送装置の本体に対して前記請求項１〜請求項７のいずれかに記載のヒンジ装置を介して連結されるカバーと、
前記カバーに設けられ当該カバーが前記本体に対して伏臥した姿勢にある状態で、前記搬送ローラに押圧されるピンチローラと、を備え、
前記カバーは、前記伏臥した姿勢にある状態で前記本体と対向する対向面が当該本体の対向部の形状に沿った形状であることを特徴とする自動原稿搬送装置。
【請求項９】
前記ヒンジ装置は、前記カバーのうちその変位軌跡面に直交する直交方向における両端にそれぞれ設けられていることを特徴とする請求項８に記載の自動原稿搬送装置。
【請求項１０】
前記カバーと、前記支持部と、前記支持部側回動軸とが一体成形されていることを特徴とする請求項８又は請求項９に記載の自動原稿搬送装置。
【請求項１１】
前記請求項８〜請求項１０のいずれかに記載の自動原稿搬送装置と、当該自動原稿搬送装置によって搬送された原稿の画像を読み取る読取部を有する画像読取装置と、を備える読取ユニット。
【請求項１２】
前記請求項１１に記載の読取ユニットと、その読取ユニットにて読み取られた原稿画像を被記録媒体に画像形成する画像形成ユニットと、を備える画像形成装置。
【発明の詳細な説明】
【技術分野】
【０００１】
本発明は、ヒンジ装置、そのヒンジ装置を備えた自動原稿搬送装置、読取ユニット及び画像形成装置に関する。
【背景技術】
【０００２】
例えば、プリンタ機能及びスキャナ機能等を備えた複合機等では、原稿圧着板が本体に対し開閉できるようになっており、原稿圧着板と本体とは一般にヒンジで接続されている。この一例として、下記特許文献１には、本体に取付けた取付部材と、取付部材に１対のヒンジを介して回動自在に取付けられた回動部材とを備えたヒンジ装置が開示されている。より具体的には、このヒンジ装置は、１対のヒンジの周囲に歯を設け、水平方向に延伸し歯に噛み合う固定された１対のラックを備えている。これにより、回動部材を右回転させると１対のヒンジが左に移動するため、当該ヒンジと、複合機の背後の壁との距離が大きくなり、外装を壁にぶつけることなく、外装１２を大きく開放できる。
【特許文献１】特開２０００−１２９９９３号公報
【発明の開示】
【発明が解決しようとする課題】
【０００３】
ところで、上記特許文献１のように、ヒンジ装置の回動中心は、一般に、複合機の背面よりも内側に形成される。このため、この特許文献１の構成では、同文献の図３に示すように、原稿圧着板の後端を切り欠いて、原稿圧着板を開閉する際に、その後端部が本体上面と干渉しないようにしている。しかし、このような構成では、原稿圧着板に切り欠き部分を設ける必要があり、また、原稿圧着板を閉じたとき、その切り欠き部分と本体上面との間に隙間が開いてしまいデザイン上も好ましい構成ではなかった。
【０００４】
本発明は上記のような事情に基づいて完成されたものであって、回転部材に切り欠きを設けることなく、デザイン性をも向上することが可能なヒンジ装置、そのヒンジ装置を備えた自動原稿搬送装置、読取ユニット及び画像形成装置を提供することを目的とする。
【課題を解決するための手段】
【０００５】
上記の目的を達成するための手段として、請求項１の発明に係るヒンジ装置は、回動部材を本体に対して伏臥した姿勢と起立した姿勢との間で変位可能となるように前記本体と前記回動部材の一端側とを回動可能に連結するヒンジ装置であって、前記本体に固定される固定部と、前記回動部材を支持する支持部と、前記支持部に設けられ、前記回動部材が通過する変位軌跡面に直交する直交方向に沿って延びる支持部側回動軸と、前記固定部に設けられ、前記直交方向に沿って延びる固定部側回動軸と、を備え、前記固定部には、前記支持部側回動軸と係合し、前記回動部材が前記伏臥した姿勢から前記起立した姿勢に変位するに従って、当該支持部側回動軸を前記本体から離間する方向に案内する固定部側案内穴が形成され、前記支持部には、前記支持部側回動軸と前記固定部側案内穴との係合位置に対して前記回動部材の一端側寄りの位置において前記固定部側回動軸と係合し、前記回動部材が前記伏臥した姿勢から前記起立した姿勢に変位するに従って、当該固定部側回動軸を前記支持部側回動軸に近づけるように案内する支持部側案内穴が形成されていることを特徴とする。
なお、「固定部」は、本体に対して別体或いは一体形成されたものであってもよい。また、「支持部」は、回動部材の一端側に対して別体或いは一体形成されたものであってもよい。
【０００６】
請求項２の発明は、請求項１に記載のヒンジ装置において、前記固定部側案内穴は、前記回動部材の回動方向に沿って曲がった弓なり状の案内溝であり、前記支持部側案内穴は、前記回動部材が伏臥した姿勢にある状態で、前記支持部側回動軸の上方に位置し、かつ、当該回動部材と前記本体との対向方向に沿った直線状をなす案内溝であることを特徴とする。
【０００７】
請求項３の発明は、請求項１又は請求項２に記載のヒンジ装置において、前記固定部は互いに対をなす固定部対からなり、前記支持部は前記固定部対それぞれの対向面又はその裏面に隣接配置される支持部対からなり、前記各支持部対の支持部側回動軸は、その支持部対に隣接配置される固定部対に向かって突出して当該固定部対の固定部側案内穴に係合し、前記各固定部対の固定部側回動軸は、その固定部対に隣接配置される支持部対に向かって突出して当該支持部対の支持部側案内穴に係合する構成であることを特徴とする。
【０００８】
請求項４の発明は、請求項１〜請求項３のいずれかに記載のヒンジ装置において、前記固定部側案内穴は、前記回動部材が伏臥した姿勢の状態で前記支持部側回動軸と係合する面が、その伏臥した回動部材に沿った方向と平行をなしていることを特徴する。
【０００９】
請求項５の発明は、請求項４に記載のヒンジ装置において、前記固定部側回動軸は、前記回動部材が前記伏臥した姿勢にある状態で、前記支持部側案内穴のうち前記本体から離間した端部に当接することを特徴とする。
【００１０】
請求項６の発明は、請求項１〜請求項５のいずれかに記載のヒンジ装置において、前記固定部側案内穴及び前記支持部側案内穴のうち少なくともいずれか一方には、前記回動部材が伏臥した姿勢にある状態で、当該案内穴と係合する前記支持部側回動軸または前記固定部側回動軸の移動を規制する第１規制部が設けられていることを特徴とする。
なお、「第１規制部、第２規制部」には例えば次の構成が含まれる。
（ａ）案内穴（固定部側案内穴、支持部側案内穴）を案内溝とし、その案内溝の対向面の少なくともいずれか一方面に弾性変形可能な規制突部を突出形成して幅の狭い部分を設けた構成。
（ｂ）案内穴（固定部側案内穴、支持部側案内穴）のうち、回動軸（支持部側回動軸、固定部側回動軸）の摺接する面に当該回動軸が進入可能な凹所を設けた構成。
【００１１】
請求項７の発明は、請求項１〜請求項６のいずれかに記載のヒンジ装置において、前記固定部側案内穴及び前記支持部側案内穴のうち少なくともいずれか一方には、前記回動部材が起立した姿勢にある状態で、当該案内穴と係合する前記支持部側回動軸または前記固定部側回動軸の移動を規制する第２規制部が設けられていることを特徴とする。
【００１２】
請求項８の発明に係る自動原稿搬送装置は、原稿が配置される原稿配置部と、当該原稿配置部に配置された原稿を搬送する原稿搬送部と、を有する自動原稿搬送装置において、前記原稿搬送部は、前記原稿配置部の一端側に配され、それに配置された原稿に接触しつつ搬送する搬送ローラと、前記搬送ローラを覆う形状をなすとともに、自動原稿搬送装置の本体に対して前記請求項１〜請求項７のいずれかに記載のヒンジ装置を介して連結されるカバーと、前記カバーに設けられ当該カバーが前記本体に対して伏臥した姿勢にある状態で、前記搬送ローラに押圧されるピンチローラと、を備え、前記カバーは、前記伏臥した姿勢にある状態で前記本体と対向する対向面が当該本体の対向部の形状に沿った形状であることを特徴とする。
なお、「自動原稿搬送装置」は、原稿読取装置や画像形成装置（プリンタ、ファクシミリ装置や、プリンタ機能及びスキャナ機能等を備えた複合機など）の本体に対して着脱可能に装着されるものであっても、着脱不能なものであってもよい。
【００１３】
請求項９の発明は、請求項８に記載の自動原稿搬送装置において、前記ヒンジ装置は、前記カバーのうちその変位軌跡面に直交する直交方向における両端にそれぞれ設けられていることを特徴とする。
【００１４】
請求項１０の発明は、請求項８又は請求項９に記載の自動原稿搬送装置において、前記カバーと、前記支持部と、前記支持部側回動軸とが一体成形されていることを特徴とする。
【００１５】
請求項１１の発明に係る読取ユニットは、前記請求項８〜請求項１０のいずれかに記載の自動原稿搬送装置と、当該自動原稿搬送装置によって搬送された原稿の画像を読み取る読取部を有する画像読取装置と、を備える。
なお、「読取ユニット」は、画像形成装置（プリンタ、ファクシミリ装置や、プリンタ機能及びスキャナ機能等を備えた複合機など）の本体に対して着脱可能に装着されるものであっても、着脱不能なものであってもよい。
【００１６】
請求項１２の発明に係る画像形成装置は、前記請求項１１に記載の読取ユニットと、その読取ユニットにて読み取られた原稿画像を被記録媒体に画像形成する画像形成ユニットと、を備える。
なお、「被記録媒体」には、用紙の他にＯＨＰシートなどが含まれる。
「画像形成装置」は、プリンタ（レーザプリンタ）などの印刷装置だけでなく、ファクシミリ装置や、プリンタ機能及びスキャナ機能等を備えた複合機であってもよい。
【発明の効果】
【００１７】
＜請求項１，２の発明＞
本構成によれば、回動部材を伏臥した姿勢から起立した姿勢へと回動させると、それに伴って当該回動部材を支持する支持部材に設けられた支持部側回動軸が固定部側案内穴によって本体から離間するように案内される。つまり、回転部材全体が本体から離間する方向に移動するから、回転部材のうちヒンジ装置によって連結された一端側の端部が本体と干渉することを防止できる。また、回動部材の一端に切り欠き部分を設ける必要がないためデザイン性の向上を図ることができる。しかも、この回動の際、固定部に設けられた固定部側回転軸と、支持部に形成された支持部側案内穴とが係合しつつ当該固定部側回転軸が支持部側回動軸に近づくように案内される。従って、これらの固定部側回転軸及び支持部側案内穴を設けない構成に比べて本体に対する回動部材のガタツキを抑制できる。なお、請求項２の構成がより望ましい。
【００１８】
＜請求項３の発明＞
本構成によれば、組をなす固定部対と支持部対とが隣接配置され、互いに各回動軸（固定部側回動軸、支持部側回動軸）が案内穴（支持部側案内穴、固定部側案内穴）に係合する構成であるから、回動軸方向のずれを規制できる。
【００１９】
＜請求項４，５の発明＞
請求項４の構成によれば、回動部材が伏臥した姿勢にあるとき、その伏臥方向と平行をなす面に、支持部側回動軸が係合する。従って、伏臥姿勢の状態において回動部材が本体から離間する方向（上記伏臥方向と直交する方向）に移動してしまう、つまり、本体に対して回動部材が浮き上がってしまうことを規制できる。特に、複合機等の画像形成装置では、例えば原稿を搬送するためのピンチローラなど、伏臥姿勢の回転部材を下方から上方へと付勢する機構が配されている構成があり、このような構成においては、回動部材とピンチローラ等との押圧状態を維持できるため、特に有効である。
更に、請求項５の構成では、回動部材が伏臥した姿勢にある状態で、固定部側回動軸が、支持部側案内穴のうち本体から離間した端部に当接する構成であるから、回動部材が本体側に近接する方向の移動をも規制できる。
【００２０】
＜請求項６の発明＞
本構成によれば、第１規制部によって、固定部材を伏臥姿勢に仮保持することができる。
＜請求項７の発明＞
本構成によれば、第２規制部によって、固定部材を起立姿勢に仮保持することができる。
【００２１】
＜請求項８，１１，１２の発明＞
本構成によれば、上記請求項１〜請求項７のいずれかに記載のヒンジ装置を利用することで、回動部材に相当するカバーの形状を、本体の対向部に沿った形状にすることができる。例えば本体の対向部が平面状であれば、カバーの対向面もそれに沿った直線状にするのである。これにより、カバーを閉じた状態で本体との間の隙間をなくし、外観上のデザインの向上を図ることができる。
【００２２】
＜請求項９の発明＞
本構成によれば、ヒンジ装置が、カバーの回動中心方向の両端にそれぞれ設けられているから、カバーを安定的に開閉させることができる。
【００２３】
＜請求項１０の発明＞
本構成によれば、カバー、支持部及び支持部側回動軸を一体成形することにより製造コストの低減、組み立て工程の簡略化等を図ることができる。
【発明を実施するための最良の形態】
【００２４】
本発明の一実施形態を図１〜図１１を参照しつつ説明する。
１．全体構成
本実施形態に係る画像形成装置は、プリンタ機能及びスキャナ機能等を備えた複合機１であり、図１はその外観を示す斜視図である。この複合機１は、フィーダ部２１及び画像形成部２２（ともに図４参照）等を内蔵する画像形成ユニット２と、自動搬送原稿読取ユニット（以下「読取ユニット３」という）とを備え、画像形成ユニット２の上面に設けられた排紙トレイ２ａの上方に空間を空けて読取ユニット３が配された構成になっている。読取ユニット３は、原稿Ｍの画像を読み取るための読取部７０を有するとともに上面に矩形状の原稿台４ａ（ともに図５参照）が設けられた画像読取装置４と、その原稿台４ａを覆うように配される自動原稿搬送装置（オートドキュメントフィーダ。以下、「ＡＤＦ５」という）とを備えて構成されている。
【００２５】
画像読取装置４の一端側（図１で紙面右下方向）には、各種の操作ボタン６ａ及び液晶表示部６ｂなどを備えた操作パネル６が設けられている。また、この操作パネル６の下側の位置には上記排紙トレイ２ａに連なって開口した用紙取り出し孔７が形成されており、いわゆる胴内排出タイプとなっている。その用紙取り出し孔７の下側には水平方向に伸びるスリット状の開口した手差給紙口８が形成されており、更にその下側には、給紙カセット９が設けられ、操作パネル６等が配された面と同じ面側から着脱可能に取り外せるようになっている。以下の説明では、複合機１について、操作パネル６や給紙カセット９が設けられた面側（図１で紙面右下方向）を「前方」、その反対側（図１で紙面左上方向）を「後方」とする。
【００２６】
図２は、読取ユニット３を開けた状態を示す複合機１の斜視図である。同図に示すように、読取ユニット３は、上記操作パネル６とは反対側の後端部が画像形成ユニット２の上面後端側において回動可能に軸支されている。これにより、読取ユニット３を上方に持ち上げることで用紙取り出し孔７が更に開放され、排紙トレイ２ａに排出された画像形成済みの用紙Ｗを容易に取り出すことができるようになっている。
【００２７】
図３はＡＤＦ５を開いた状態を示す複合機１の斜視図である。同図に示すように、ＡＤＦ５は、やはり上記操作パネル６とは反対側の後端部が画像読取装置４の上面後端側において回転軸１３により回動可能に軸支され、このＡＤＦ５を開くことで画像読取装置４上面の原稿台４ａが露出されるようになっている。また、ＡＤＦ５は、上面に原稿Ｍが載置される原稿トレイ１０（本発明の「原稿配置部」に相当）と、その原稿トレイ１０に載置された原稿Ｍを、当該ＡＤＦ５の回動軸方向に沿った搬送方向（図１では紙面左下方向）に向けて搬送する原稿搬送部１１とを備えて構成されている。
【００２８】
そして、この原稿搬送部１１を覆うカバー１２が、本発明の「ヒンジ装置」に相当する構成によって開閉可能に軸支されているのである。
【００２９】
２．各部の構成
（１）画像形成ユニット
画像形成ユニット２の各構成について、図４を参照しつつ説明する。図４は、複合機１を給紙ローラ２５等の軸方向から見た要部側断面図であり、同図において紙面右側が複合機１の前方であり、紙面左側が複合機１の後方となる。なお、原稿搬送部１１については簡略化した側面を図示している。
【００３０】
画像形成ユニット２のケーシング２０内には、用紙Ｗを給紙するためのフィーダ部２１や、給紙された用紙Ｗに所定の画像を形成するための画像形成部２２などが備えられている。また、画像形成部２２の上部には、画像形成部２２により画像形成され、排出された用紙Ｗを保持するために用いられる排紙トレイ２ａが配されている。
【００３１】
（ａ）フィーダ部
フィーダ部２１は、給紙カセット９と、給紙カセット９内に設けられた用紙押圧板２３と、給紙カセット９の前端側端部の上方に設けられる送出ローラ２４、給紙ローラ２５および分離パッド２６と、給紙ローラ２５に対向する対向ローラ２７と、紙粉取りローラ２８と、紙粉取りローラ２８に対し用紙Ｗの搬送方向の下流側に設けられるレジストローラ２９とを備えている。
【００３２】
なお、送出ローラ２４、給紙ローラ２５、対向ローラ２７、及び、給紙ローラ２５に沿った円弧状をなすガイド部３０によって、給紙カセット９の前端側から供給される用紙Ｗは、当該複合機１の後方側に向かうように方向転換され、給紙カセット９の上方に設けられる画像形成部２２に送り出されるようになっている。
【００３３】
給紙カセット９は、ケーシング２０内の底部に着脱可能に装着されており、この中に用紙Ｗを積層して収納するために用いられる。この給紙カセット９は、内部に用紙Ｗを補給する際等に、複合機１の前方側に引き出し可能となるように構成されている。このとき、フィーダ部２１は、給紙ローラ２５と分離パッド２６との間で切り離され、対向ローラ２７と分離パッド２６とこの分離パッド２６の裏側に配設されるバネ３１とが、給紙カセット９と一体となって引き出される。
【００３４】
用紙押圧板２３は、給紙ローラ２５に対して遠い方の端部（後端部）において揺動可能に支持されることによって、給紙ローラ２５に対して近い方の端部（前端部）が上下方向に移動可能に構成されており、図示しないバネにより上方向に付勢されている。このため、用紙押圧板２３は、用紙Ｗの積層量が増えるに従って、給紙ローラ２５に対して遠い方の端部を支点として、バネ３１の付勢力に抗して下向きに揺動される。
【００３５】
送出ローラ２４は、用紙押圧板２３により給紙カセット９内の最上位に積層された用紙Ｗに当接するよう設定されており、給紙ローラ２５により用紙Ｗを搬送可能な位置（給紙ローラ２５と分離パッド２６の間の位置）まで送る。
【００３６】
分離パッド２６は、給紙ローラ２５に対向する位置に配設されている。そして分離パッド２６の裏側に配設されるバネ３１によって、給紙ローラ２５に向かって押圧されている。また、この分離パッド２６は、複数の用紙Ｗが重なった状態で搬送経路（図４で二点鎖線Ｌ）内に供給されることを防止するための機能を備えている。即ち、送出ローラ２４により送られてきた用紙Ｗは、給紙ローラ２５と分離パッド２６とに接触する。このとき、分離パッド２６と用紙Ｗとの間には、適度な摩擦力が加えられるので、送出ローラ２４により複数の用紙Ｗが分離パッド２６まで送られてきたとしても、最上位に位置する用紙Ｗ以外の用紙Ｗは分離パッド２６により係止される。このため、給紙ローラ２５からは１枚毎に用紙Ｗが供給される。
【００３７】
そして、用紙Ｗは、この給紙ローラ２５によって約１８０度方向転換されつつ、紙粉取りローラ２８によって紙粉が取り除かれた後、レジストローラ２９に送られる。
【００３８】
また、レジストローラ２９は、１対のローラから構成されており、給紙ローラ２５の近傍に配置された位置センサ（図示せず）による検知タイミングに基づいて、駆動および停止の動作が制御装置（図示せず）により制御される。そして、この制御により用紙Ｗの斜行が修正される。即ち、制御装置は、給紙ローラ２５による用紙Ｗの搬送時において、レジストローラ２９は駆動している状態とし、位置センサが用紙Ｗの先端を検知すると、レジストローラ２９を停止させる。そして、用紙Ｗがレジストローラ２９に接触し、弛んだ状態になった頃に、制御装置は再びレジストローラ２９を駆動し、用紙Ｗを画像形成部２２に送るようにしている。
【００３９】
また、給紙ローラ２５のやや上方には、複合機１の手前側からレジストローラ２９の位置に直接用紙Ｗを給紙するための手差給紙口８が形成されており、給紙カセット９に用紙Ｗを収納することなく搬送経路Ｌに用紙Ｗを供給することができる。
【００４０】
（ｂ）画像形成部
次に、画像形成部２２は、スキャナユニット４０、プロセスユニット４１、定着ユニット４２などを備えている。
（スキャナユニット）
スキャナユニット４０は、ケーシング２０内の上部に設けられ、レーザ発光部（図示省略）、ポリゴンモータ４３により回転駆動されるポリゴンミラー４４、レンズ４５および４６、反射鏡４７および４８などを備えており、レーザ発光部から発光される所定の画像データに基づくレーザビームを、図１における一点鎖線で示すように、ポリゴンミラー、レンズ４５、反射鏡４７、レンズ４６、反射鏡４８の順に通過あるいは反射させて、後述するプロセスユニット４１における感光体ドラム５２の表面上に高速走査にて照射させている。
【００４１】
（プロセスユニット）
図４に示すように、複合機１には、感光体ドラム５２を少なくとも備えて画像形成ユニット２の本体部に対して着脱可能なプロセスユニット４１が設けられている。画像形成ユニット２内には、排紙トレイ２ａの下方においてプロセスユニット４１を収容する収容部２ｂがケーシング２０の前面側に開口した状態で形成されている。そして、図２に示すように、この開口部を塞ぐように開閉可能に設けられた開閉扉２ｃを空けることによりプロセスユニット４１の着脱作業を行うことができるようになっている。
【００４２】
プロセスユニット４１は、ドラムカートリッジ５０と、現像カートリッジ５１とから構成されている。また、プロセスユニット４１とスキャナユニット４０との間には、空間が形成されている。
【００４３】
プロセスユニット４１のうち、ドラムカートリッジ５０には、感光体ドラム５２、スコロトロン型帯電器５３、転写ローラ５４を備えている。また、現像カートリッジ５１には、現像ローラ５５、層厚規制ブレード５６、トナー供給ローラ５７およびトナーボックス５８などを備えている。そして、この現像カートリッジ５１は、ドラムカートリッジ５０に対して着脱自在に装着されている。
【００４４】
また、トナーボックス５８内には、トナー（現像剤）が充填されている。そして、トナーボックス５８内のトナーは、トナーボックス５８の中心に設けられる回転軸５９に支持されるアジテータ６０の白抜き矢印方向（時計方向）への回転により、攪拌されて、トナーボックス５８に設けられたトナー供給口６１から放出される。
【００４５】
トナー供給口６１の側方位置には、トナー供給ローラ５７が反時計方向に回転可能に配設されており、また、このトナー供給ローラ５７に対向して、現像ローラ５５が反時計方向に回転可能に配設されている。そして、これらトナー供給ローラ５７と現像ローラ５５とは、そのそれぞれがある程度圧縮するような状態で互いに当接されている。
【００４６】
トナー供給ローラ５７は、金属製のローラ軸に、導電性の発泡材料からなるローラが被覆されている。また、現像ローラ５５は、金属製のローラ軸に、磁気特性を持たない導電性のゴム材料からなるローラが被覆されている。より具体的には、現像ローラ５５のローラ部分は、カーボン微粒子などを含む導電性のウレタンゴムまたはシリコーンゴムからなるローラ本体の表面に、フッ素が含有されているウレタンゴムまたはシリコーンゴムのコート層が被覆されている。なお、現像ローラ５５には、現像バイアスが印加される。
【００４７】
また、現像ローラ５５の近傍には、層厚規制ブレード５６が配設されている。この層厚規制ブレード５６は、金属の板バネ材からなるブレード本体の先端部に、絶縁性のシリコーンゴムからなる断面半円形状の押圧部６２を備えており、現像ローラ５５の近くにおいて現像カートリッジ５１に支持されて、押圧部６２がブレード本体の弾性力によって現像ローラ５５上に圧接されるように構成されている。
【００４８】
そして、トナー供給口６１から放出されるトナーは、トナー供給ローラ５７の回転により、現像ローラ５５に供給され、この時、トナー供給ローラ５７と現像ローラ５５との間で正に摩擦帯電され、さらに、現像ローラ５５上に供給されたトナーは、現像ローラ５５の回転に伴って、層厚規制ブレード５６の押圧部６２と現像ローラ５５との間に進入し、ここでさらに十分に摩擦帯電されて、一定厚さの薄層として現像ローラ５５上に担持される。
【００４９】
感光体ドラム５２は、現像ローラ５５の側方位置において、その現像ローラ５５と対向するような状態で時計方向に回転可能に配設されている。この感光体ドラム５２は、ドラム本体が接地されるとともに、その表面部分が、ポリカーボネートなどから構成される正帯電性の感光層により形成されている。なお、この感光体ドラム５２は、図示しないメインモータからの動力によって回転駆動されるように構成されている。
【００５０】
スコロトロン型帯電器５３は、感光体ドラム５２に接触しないように、所定の間隔を隔てて配設されている。このスコロトロン型帯電器５３は、感光体ドラム５２の半径方向において、水平方向から約３０度上方に配置されている。また、このスコロトロン型帯電器５３は、このタングステンなどの帯電用ワイヤからコロナ放電を発生させる正帯電用のスコロトロン型の帯電器であり、感光体ドラム５２の表面を一様に正極性に帯電させるように構成されている。
【００５１】
そして、感光体ドラム５２の表面は、その感光体ドラム５２の回転に伴って、まず、スコロトロン型帯電器５３により一様に正帯電された後、スキャナユニット４０からのレーザビームの高速走査により露光され、所定の画像データに基づく静電潜像が形成される。
【００５２】
次いで、現像ローラ５５の回転により、現像ローラ５５上に担持されかつ正帯電されているトナーが、感光体ドラム５２に対向して接触する時に、感光体ドラム５２の表面上に形成される静電潜像、即ち、一様に正帯電されている感光体ドラム５２の表面のうち、レーザビームによって露光され電位が下がっている露光部分に供給され、選択的に担持されることによって可視像化され、これによって反転現像が達成される。
【００５３】
転写ローラ５４は、感光体ドラム５２の下方において、この感光体ドラム５２に対向するように配置され、ドラムカートリッジ５０に反時計方向に回転可能に支持されている。この転写ローラ５４は、金属製のローラ軸に、イオン導電性のゴム材料からなるローラが被覆されており、転写時には、転写バイアス（転写順バイアス）が印加されるように構成されている。そのため、感光体ドラム５２の表面上に担持された可視像は、用紙Ｗが感光体ドラム５２と転写ローラ５４との間を通る間に用紙Ｗに転写される。
【００５４】
（定着ユニット）
定着ユニット４２は、プロセスユニット４１よりも用紙搬送方向下流側（後方側）に配設され、ギヤが形成された定着ローラ６３、定着ローラ６３を押圧する押圧ローラ６４、および、サーモスタット６５を備えている。
定着ローラ６３は、金属製で、加熱のためのハロゲンランプを備えている。押圧ローラ６４には、この押圧ローラ６４を下方から定着ローラ６３の中心軸方向に回転可能に押圧（付勢）するバネ６６を備えている。また、この押圧ローラ６４は、定着ローラ６３または用紙Ｗと密着し、定着ローラ６３と同期して回転するよう構成されている。
【００５５】
サーモスタット６５は、例えばバイメタルからなり、定着ローラ６３から発生される熱に応じて、定着ローラ６３を加熱するためのヒータの電源をＯＮ・ＯＦＦし、定着ローラ６３が異常な高温に加熱されないようにしている。
【００５６】
このような定着ユニット４２において、定着ローラ６３は、プロセスユニット４１において用紙Ｗ上に転写されたトナーを、用紙Ｗが定着ローラ６３と押圧ローラ６４との間を通過する間に加熱および加圧することにより定着させる。さらに、定着ローラ６３は、画像定着後の用紙Ｗを、ガイド部材６７，６８により形成される排紙パスを介して、排出ローラ６９まで搬送する。そして、排出ローラ６９は、送られてきた用紙Ｗを排紙トレイ２ａ上に排紙する。つまり、定着ユニット４２、ガイド部材６７，６８、及び排出ローラ６９によって画像形成部２２にて画像が形成された用紙Ｗが前方側に向かうように方向転換されて画像形成部２２の上方に配置される排紙トレイ２ａ側に送り出されることとなる。
【００５７】
（２）読取ユニット
読取ユニット３は、画像読取装置４とＡＤＦ５とを備え、画像読取装置４は、画像形成ユニット２の排紙トレイ２ａの上方において、その下面４ｂが当該排紙トレイ２ａと対向し、この排紙トレイ２ａを覆うように配されている。
【００５８】
読取ユニット３は、フラットベッド方式のスキャナとして構成されており、このフラットベッド方式の構成では、前述したように、ＡＤＦ５が後方に開くと、読取部７０の原稿台４ａが露出するようになっており（図３参照）、その原稿台４ａ上に本やその他の各種原稿を載置した状態で読み取りができるように構成されている。
【００５９】
一方、図５は読取部７０の内部構成を概念的に示している。この図に示すように、読取部７０は、原稿トレイ１０上に載置された原稿Ｍが、ガラス板からなる原稿台４ａを介してＣＩＳ（コンタクトイメージセンサ）７１と対向し、さらに原稿排出トレイ７２に導かれるように、原稿Ｍを誘導するための搬送路７３が弧を描くように設けられている。そして、搬送路７３の原稿搬送方向の上流側先端部には、原稿トレイ１０上に載置された原稿Ｍを一枚ずつ分離して搬送路７３に導くための原稿給紙ローラ７９が設けられ、更にその下流側には、搬送ローラ７４及びピンチローラ７５が設けられている。搬送ローラ７４は、原稿Ｍの下面に当接するように設けられ、ピンチローラ７５は、上記カバー１２の下面側に設けられ、このカバー１２を閉めた状態（伏臥姿勢）でピンチローラ７５が搬送ローラ７４に対して上方から押圧するようになっている。
【００６０】
また、搬送路７３上のＣＩＳ７１との対向部には、そこを通過する原稿Ｍを押圧して原稿台４ａ上に密着させるための押圧ローラ７６が設けられ、搬送路７３の原稿搬送方向の下流側末端部には、原稿Ｍを原稿排出トレイ７２に排出するための排出ローラ７７が設けられている。さらに、搬送路７３の経路上で搬送ローラ７４及びピンチローラ７５の近傍には、原稿Ｍが通過したか否かを検出するための通過検出センサ７８が設けられている。
【００６１】
ＣＩＳ７１は、原稿Ｍの搬送方向と直交する方向（図１で紙面左右方向。図５で紙面奥行き方向）に延設されたライン型のセンサである。その延設方向に複数のフォトダイオード（図示略）が列設されている。ＣＩＳ７１は、図示しない光源より原稿Ｍに強い光を当てたときの反射光を個々のフォトダイオードで受光し、原稿Ｍの画素毎に反射光の光強度（明度）を電気信号に変換するように構成されている。読取部７０では、これを図示しないＡ／Ｄ変換機にてデジタルデータ化することで、原稿Ｍ上に形成された画像を画像データとして読取ることができる。
【００６２】
読取部７０での原稿Ｍの読取りは、原稿台４ａ上に原稿Ｍを載置して行う場合と、ＡＤＦ５を利用する場合とがある。前者の場合、原稿Ｍの搬送方向（図１で紙面奥行き方向）に沿って延びる軸７９に沿って、かつ、原稿台４ａに沿ってＣＩＳ７１が移動され、その際に１ラインずつ、原稿台４ａ上に載置された原稿Ｍの読取りが行われる。また、後者の場合には、ＣＩＳ７１が原稿台４ａを介して押圧ローラ７６と対向するように、原稿トレイ１０の左端部に移動され、その位置で保持されて、ＡＤＦ５により搬送される原稿Ｍの読取りが１ラインずつ行われるようになっている。
【００６３】
（３）ＡＤＦ
次に、ＡＤＦ５について具体的に説明する。図６は、ＡＤＦ５を斜め上方から見た斜視図である。なお、ＡＤＦ５についての説明においては、原稿トレイ１０に載置された原稿Ｍの搬送方向（同図で紙面左右向。複合機１の左右方向）を「原稿搬送方向」とし、その前方（同図で紙面左方向。同図で示した白抜き矢印方向。）を「原稿搬送前方」、その後方（同図で紙面右方向）を「原稿搬送後方」として説明する。また、同図は、カバー１２が開いた状態、つまり、ＡＤＦ５の本体としての原稿排出トレイ７２に対して起立した姿勢が示されている。以下、この図の状態を「起立姿勢」又は「開いた状態」といい、図１〜４のように、カバー１２が閉まった状態、つまり、原稿排出トレイ７２に対して伏臥した姿勢を「伏臥姿勢」又は「閉じた状態」という。
【００６４】
（原稿トレイ及び原稿搬送部）
上述した原稿台４ａは、原稿搬送方向に延びる長方形をなし、その原稿台４ａの前面を覆う原稿排出トレイ７２はそれに対応した長方形の平板形状をなす。そして、原稿排出トレイ７２上の原稿搬送前方端１２ｆ側にはカバー１２によって覆われた原稿搬送部１１が設けられ、原稿トレイ１０は、原稿搬送部１１に対し原稿搬送後方側から原稿搬送後方に向かって斜め上方に延びる傾斜姿勢で、かつ、原稿排出トレイ７２と隙間をあけた状態で設けられている。なお、原稿トレイ１０には、載置した原稿Ｍを幅方向（原稿搬送方向に直交する方向。複合機１の前後方向）における両端で挟んで搬送をガイドする１対のガイド壁８０，８０が設けられている。
【００６５】
原稿搬送部１１は、原稿トレイ１０の原稿搬送前方端１２ｆ及び上記搬送路７３とを繋げる原稿シュート部８１が設けられている。原稿シュート部８１の原稿トレイ１０寄りの位置には、原稿搬送方向に直交する方向に延びる回転軸８２によって回転する原稿給紙ローラ７９が設けられている。そして、この原稿給紙ローラ７９が、原稿トレイ１０に載置された最上位の原稿Ｍ表面に当接した状態で回動することにより、その原稿Ｍを搬送路７３へと導くことができる。
【００６６】
また、搬送路７３の途中には、原稿シュート部８１に連なる面側に上記搬送ローラ７４が上記回転軸８２と平行をなす回転軸（図示せず）によって回転可能に設けられている。一方、これと対向するカバー１２の内面１２ａには、やはり上記回転軸８２と平行をなす回転軸８３によって軸支されたピンチローラ７５に回転可能に設けられている。ピンチローラ７５は、カバー１２を閉じた状態（伏臥姿勢）で搬送ローラ７４に押圧されるようになっている（図５参照）。そして、搬送ローラ７４が回転駆動されることで、ピンチローラ７５も従動して回転し、原稿給紙ローラ７９からの原稿Ｍを両ローラ７４，７５でニップして搬送路７３下流側へと導く役目を果たす。なお、原稿給紙ローラ７９の回転軸８２及び搬送ローラ７４の回転軸とは、原稿シュート部８１の後方に配されたギア機構（図６ではケース８４に覆われている）によって図示しないモータからの駆動力が伝達されるようになっている。
【００６７】
（カバー）
次にカバー１２は、原稿排出トレイ７２の原稿搬送前方端１２ｆにおいて本発明の「ヒンジ装置」に相当するヒンジ部９０を介して回動可能に連結されている。このカバー１２は、全体として、下側が開放した矩形箱状をなし、その上面部１２ｂは、原稿シュート部８１上方を覆うとともに原稿搬送前方側が搬送路７３に沿って湾曲した形状をなす。また、原稿トレイ１０に近接する原稿搬送後方壁は、その原稿トレイ１０の原稿搬送前方端１２ｆ及びそれに載置された原稿Ｍの搬送経路Ｌを避けるように矩形状の切り欠き部１２ｃが形成されている。
【００６８】
また、カバー１２の原稿搬送前方右壁（複合機１の後面側の壁）は、上記ギア機構を覆うケース８４の形状に対応した切り欠き部１２ｄが形成されている。また、この切り欠き部１２ｄの原稿搬送後方部には、カバー１２を閉じた状態で原稿シュート部８１側に設けられた係止部（係合突起８５）と係合する被係合部（係合凹部８６）が設けられており、これにより、カバー１２を閉めたとき、その原稿搬送後方部における浮き上がりを防止できる。
【００６９】
一方、カバー１２の原稿搬送前方左壁（複合機１の前面側の壁）は、図１〜３にも示すように、カバー１２を閉めた状態で、原稿排出トレイ７２の上面７２ａ（本発明の「本体の対向部」に相当）に対して隙間なく対面するように下端面１２ｅ（本発明の「対向面」に相当）が全長に亘って一直線状の平面になっている。
【００７０】
（ヒンジ部）
さて、ヒンジ部９０の構造について、図６に加えて図７〜図９を参照しつつ説明する。図７はカバーを開けた状態のＡＤＦの前面図であり、図８はカバーを閉じた状態のＡＤＦの前面図であり、図９は伏臥姿勢のカバーを示す模式図である。
本実施形態に係るヒンジ部９０は、カバー１２を、原稿排出トレイ７２に対し原稿搬送前方端１２ｆ側を中心に伏臥姿勢（図７参照）と起立姿勢（図８参照）との間で回動可能に連結するためのものである。
【００７１】
図６，７に示すように、カバー１２の湾曲した原稿搬送前方端１２ｆには、原稿搬送方向に直交する方向の両端に１対の平板状の支持部９１，９１が一体的に突出形成されている。これに対して、原稿シュート部８１側には、上記各支持部９１の外面（裏面。１対の支持部９１の対向面とは反対側の面）にそれぞれ接触するように１対の固定部９２，９２（図６，７では原稿搬送前方左側の固定部９２のみ図示）が設けられている。以下、支持部９１及び固定部９２は、原稿搬送前方左側のものと原稿搬送前方右側のものとは構造がほぼ同じなので、原稿搬送前方右側の支持部９１及び固定部９２を例に挙げて説明する。
【００７２】
図９に拡大して示すように、支持部９１は、カバー１２が伏臥姿勢にある状態で下方の原稿排出トレイ７２側に部分的に突出するように一体的に形成されている。一方、固定部９２は、下側が原稿排出トレイ７２の上面よりも下に位置し上側が上方に突出した形状をなす。支持部９１のうち、カバー１２の伏臥姿勢下で最下端に位置する下端部には、固定部９２との対向方向（原稿搬送方向に直交する紙面奥側の方向。本発明の「変位軌跡面に直交する直交方向」に相当）に向かって突出した断面円形状の支持部側回動軸９３が一体形成されている。固定部９２には、カバー１２の伏臥姿勢下で上記支持部側回動軸９３の上方に位置において、支持部９１との対向方向（紙面手前側）に向かって突出した断面円形状の固定部側回動軸９４が一体形成されている。
【００７３】
続いて、固定部９２には、支持部側回動軸９３の直径よりやや大きい寸法の幅を有し、当該支持部側回動軸９３と係合する固定部側案内溝９５が形成されている。この固定部側案内溝９５は、最上端部分９５ａが固定部側回動軸９４に対して原稿搬送後方（カバー１２の開放端側）に位置し、その最上端部分９５ａから下方に伸び、途中から当該固定部側回動軸９４の真下に回り込む弓なり状の形状をなす。更に、固定部側案内溝９５は、伏臥姿勢下で支持部側回動軸９３が位置する最下端部分９５ｂが水平方向（原稿搬送方向。伏臥姿勢のカバー１２に沿った方向）に沿って屈曲した形状になっている。つまり、最下端部分９５ｂの上面９５ｃが水平方向と平行をなしているのである。
【００７４】
一方、支持部９１には、固定部側回動軸９４の直径よりやや大きい寸法の幅を有し、当該固定部側回動軸９４と係合する支持部側案内溝９６が形成されている。この支持部側案内溝９６は、伏臥姿勢下で、支持部側回動軸９３の上方において固定部側回動軸９４との係合位置から下方（支持部９１の突出端側。カバー１２の上面部１２ｂに直交する方向。）に向かって長く伸びた直線形状をなす。
【００７５】
なお、図１２は、カバー１２の起立姿勢下における、原稿搬送前方左側の支持部９１及び固定部９２の連結部分の拡大図である。起立姿勢のカバー１２から原稿搬送後方に突出した支持部９１には、その突出先端側において支持部側回動軸９３が原稿搬送前方の左側（固定部９２側）に突設されている。また、この支持部９１には、支持部側回動軸９３に対して原稿搬送前方に支持部側案内溝９６が水平方向（原稿搬送方向）に沿って形成されている。一方、原稿シュート部８１に一体的に形成された固定部９２は、その上部において原稿搬送前方の右側（支持部９１側）に突出した固定部側回動軸９４が上記支持部側案内溝９６の原稿搬送後方端内に嵌入している。また、固定部９３には、固定部側回動軸９４に対して原稿搬送後方位置から傾斜しつつ下端部分が原稿搬送前方に向けて屈曲した固定部側案内溝９２が形成されており、この固定部側案内溝９２の最上端部分９５ａに支持部側回動軸９３が嵌入されている。
【００７６】
３．本実施形態の作用
本実施形態の作用について図７〜図１１を参照しつつ説明する。
図８に示すようにカバー１２が伏臥姿勢にある状態では、支持部側回動軸９３は、固定部側案内溝９５の最下端部分９５ｂの上面９５ｃに当接している。つまり、この当接によってカバー１２の原稿搬送前方端１２ｆ側における浮き上がりを防止できる。特に本実施形態では、カバー１２の内面１２ａには搬送ローラ７４と押圧接触されるピンチローラ７５が設けられているため、特に有効である。
【００７７】
図１０は回動途中のカバーを示す模式図である。同図に示すように、カバー１２を開けるように徐々に回動させていくと、支持部側回動軸９３が固定部側案内溝９５によって上方に案内され、それとともに、固定部側回動軸９４が支持部側案内溝９６によって支持部側回動軸９３に近づくように案内される。これにより、カバー１２全体が上方に持ち上げられ、その原稿搬送前方端１２ｆが原稿排出トレイ７２の上面７２ａに干渉することなく回動し始める。つまり、上記２つの係合の協働により、カバー１２の原稿搬送前方端１２ｆが当初の高さよりも下方に下がることが規制されつつカバー１２が回動されるのである。
図１１は起立姿勢のカバーを示す模式図である。そして、同図に示すように、カバー１２が完全に開いた起立姿勢になる（図７参照）と、支持部側回動軸９３は固定部側案内溝９５の最上端部分９５ａに当接する一方で、固定部側回動軸９４が支持部側案内溝９６の突出端側に当接し、カバー１２のこれ以上の回動が規制される。閉めるときも、以上の逆の動作が行われ、やはりカバー１２を、その原稿搬送前方端１２ｆが原稿排出トレイ７２の上面７２ａに干渉させることなく回動させて、図８に示すように、下端面１２ｅが全長に亘って原稿排出トレイ７２の上面７２ａに接触した伏臥姿勢にすることができる。なお、本実施形態において、「変位軌跡面」とは、図９〜図１１において原稿搬送方向に直交する紙面奥側の方向から見たとき、カバー１２が伏臥姿勢と起立姿勢との間で変位する軌跡領域をいい、これらの図においては紙面と平行をなす面である。
【００７８】
４．本実施形態の効果
（１）本実施形態によれば、上述したように、カバー１２を開く際、支持部側回動軸９３が固定部側案内溝９５によって上方に案内され、固定部側回動軸９４がカバー１２の回動に伴って傾斜する支持部側案内溝９６によって下方への移動が規制されつつ案内される。これにより、カバー１２の原稿搬送前方端１２ｆが伏臥姿勢時よりも下方に下がることがなく原稿排出トレイ７２の上面７２ａとの干渉が防止され、しかもその開閉動作においてカバー１２のガタツキも防止できる。従って、従来構成のようにカバー１２の原稿搬送前方端１２ｆに切り欠き部分を設ける必要がなく、カバー１２の下端面１２ｅを全長に亘って原稿排出トレイ７２の上面７２ａに接触させた状態で伏臥姿勢にすることができ、デザイン性向上をも図ることができる。
【００７９】
（２）また、組をなす固定部９２と支持部９１とが接触するように隣接配置され、互いに各回動軸（固定部側回動軸９４、支持部側回動軸９３）が案内溝（支持部側案内溝９６、固定部側案内穴９５）に係合する構成であるから、回動軸方向（原稿搬送方向に直交する方向）のずれを規制できる。
（３）更に、伏臥姿勢下では、そのカバー１２の伏臥方向に沿った固定部側案内溝９５の最下端部分９５ｂの上面９５ｃと、支持部側回動軸９３との当接により上下方向の移動が規制される。これにより、カバー１２の内面１２ａに設けたピンチローラ７５を搬送ローラ７４に対してしっかりと押圧させた状態にすることができる。更に、このとき、支持部側回動軸９３は、最下端部分９５ｂの下面とも係合しているから、カバー１２の上下方向の移動が規制できる。
【００８０】
（４）ヒンジ部９０は、カバー１２の両端にそれぞれ設けた構成であるから、カバー１２を安定的に開閉することができる。
（５）支持部９１及び支持部側回動軸９３はカバー１２に一体的に設けられているから、製造コストの低減、組み立て工程の簡略化等を図ることができる。
【００８１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本実施形態では、固定部側案内溝９５、支持部側案内溝９６は支持部９１、固定部９２に対してそれぞれ貫通形成された構成であったが、これに限らず、有底の溝であってもよい。また、固定部側案内溝９５については、支持部側回動軸９３と係合し、カバー１２が伏臥姿勢から起立姿勢に変位するに従って、その支持部側回動軸９３を原稿排出トレイ７２から離間する方向に案内するものであれば、必ずしも溝である必要はなく、案内穴（貫通穴でも有底穴でもよい）であってもよい。また、支持部側案内溝９６についても、固定部側回動軸９４と係合し、カバーが伏臥姿勢から起立姿勢に変位するに従って、その固定部側回動軸９４を支持部側回動軸９３に近づけるように案内するものであれば必ずしも溝である必要はなく、案内穴（貫通穴でも有底穴でもよい）であってもよい。
【００８２】
（２）上記実施形態において、伏臥姿勢下で、固定部側回動軸９４が支持部側案内溝９６の最上端部分と当接する構成とすれば、カバーの上下方向の移動を更に強固に規制することができる。
【００８３】
（３）上記実施形態に対して、１対の固定部９２，９２が、各支持部９１の対向面にそれぞれ接触するように設けた構成であってもよい。
【００８４】
（４）また、例えば図９において符号（１１０）は、第１規制部に相当する規制凸部であり、これは、固定部側案内溝９５の最下端部分９５ｂの手前に形成され他の部分より幅狭としている。そして、規制凸部（１１０）は、伏臥姿勢下において支持部側回動軸９３に接触し、カバー１２を伏臥姿勢に仮保持することができる。
【００８５】
（５）また、例えば図１１において符号（１１１）は、第２規制部に相当する規制凸部であり、これは、固定部側案内溝９５の最上端部分９５ａの下側に形成され他の部分より幅狭としている。そして、規制凸部（１１１）は、起立姿勢下において支持部側回動軸９３に接触し、カバー１２を起立姿勢に仮保持することができる。
【００８６】
（６）本実施形態では、カバー１２の連結部分に本発明のヒンジ装置を適用した例を説明したが、これに限らず、例えば読取ユニット３と画像形成ユニット２との連結部分、ＡＤＦ５と画像読取装置４との連結部分などに適用しても同様の効果を得ることができる。また、他の装置についても本体に対して伏臥姿勢と起立姿勢との間で回動可能に設けられる回動部材と当該本体との連結部分について適用することも勿論可能である。
【図面の簡単な説明】
【００８７】
【図１】本発明の一実施形態に係る複合機の外観を示す斜視図
【図２】読取ユニットを開いた状態を示す複合機の斜視図
【図３】ＡＤＦを開いた状態を示す複合機の斜視図
【図４】複合機の要部側断面図
【図５】読取部の内部構成を示した簡略図
【図６】ＡＤＦ部分を示した斜視図
【図７】カバーを開けた状態のＡＤＦの前面図
【図８】カバーを閉じた状態のＡＤＦの前面図
【図９】伏臥姿勢のカバーを示す模式図
【図１０】回動途中のカバーを示す模式図
【図１１】起立姿勢のカバーを示す模式図
【図１２】原稿搬送前方左側の支持部及び固定部の連結部分の拡大図
【符号の説明】
【００８８】
１…複合機（画像形成装置）
２…画像形成ユニット
３…読取ユニット
４…画像読取装置
５…ＡＤＦ（自動原稿搬送装置）
１０…原稿トレイ（原稿配置部）
１１…原稿搬送部
１２…カバー（回動部材）
１２ｅ…下端面（対向面）
７０…読取部
７２…原稿排出トレイ（本体）
７２ａ…上面（本体の対向部）
７４…搬送ローラ
７５…ピンチローラ
９０…ヒンジ部（ヒンジ装置）
９１…支持部（支持部対）
９２…固定部（固定部対）
９３…支持部側回動軸
９４…固定部側回動軸
９５…固定部側案内溝（固定部側案内穴）
９５ｃ…上面（係合する面）
９６…支持部側案内溝（支持部側案内穴）
Ｍ…原稿
Ｗ…用紙（被記録媒体）
１１０…規制凸部（第１規制部）
１１１…規制凸部（第２規制部）
【図１】
2006118613.tif 000003
【図２】
2006118613.tif 000004
【図３】
2006118613.tif 000005
【図４】
2006118613.tif 000006
【図５】
2006118613.tif 000007
【図６】
2006118613.tif 000008
【図７】
2006118613.tif 000009
【図８】
2006118613.tif 000010
【図９】
2006118613.tif 000011
【図１０】
2006118613.tif 000012
【図１１】
2006118613.tif 000013
【図１２】
2006118613.tif 000014